(57)【要約】【課題】プラテン上にインクが吐出されるのを抑制して、プラテン上で硬化するインクによってプラテンの平面性が保持されずに発生する搬送不良や画像劣化を抑制することができるインクジェット記録装置を提供することを課題とする。【解決手段】記録ヘッド４はノズル面５に配置されるノズル６とノズル６列の延長線上の両端に配置される記録媒体検出装置８とを備えて構成されている。記録媒体検出装置８はインクの吐出先であるプラテン１２上における記録媒体１３の有無を検出するようになっている。制御部１４は、光照射装置１１が点灯していないときはノズル６からインクが吐出されるように記録ヘッド４を駆動制御し、光照射装置１１が点灯しているときは、プラテン１２上に記録媒体１３が存在していて、記録ヘッド４が印字可能領域に位置しているとき以外にはノズル６からインクが吐出されないように記録ヘッド４を駆動制御するようになっている。【選択図】図２
2006088377.tif 000002
【特許請求の範囲】
【請求項１】
光を照射することにより硬化するインクを記録媒体上に吐出する記録ヘッドと、前記インクを硬化させる光を照射する光照射装置と、前記記録媒体を非記録面から支持するプラテンとを備えるインクジェット記録装置において、
前記プラテン上における記録媒体の有無を検出する記録媒体検出装置と、
前記記録ヘッドが記録媒体上の印字可能領域内に位置するか算出して、前記光照射装置が点灯していないときは画像データに基づいて前記インクを吐出させるとともに、前記光照射装置が点灯しているときは、前記プラテン上に記録媒体が存在し、前記記録ヘッドが記録媒体上の印字可能領域内に位置するとき以外は前記インクを吐出させないように、前記記録ヘッドを制御する制御部とを備えていることを特徴とするインクジェット記録装置。
【請求項２】
請求項１に記載のインクジェット記録装置において、
前記記録媒体検出装置は前記記録ヘッドの近傍に配置されることを特徴とするインクジェット記録装置。
【請求項３】
請求項２に記載のインクジェット記録装置において、
前記記録媒体検出装置は前記記録ヘッドのノズル列方向の両端に配置され、
前記制御部は前記光照射装置が点灯しているときに少なくとも片方の前記記録媒体検出装置が前記記録媒体の存在を検出しないときは前記インクを吐出させないように制御することを特徴とするインクジェット記録装置。
【請求項４】
請求項１または請求項２のいずれか一項に記載のインクジェット記録装置において、
前記記録ヘッドはライン型の記録ヘッドであることを特徴とするインクジェット記録装置。
【請求項５】
請求項１から請求項３のいずれか一項に記載のインクジェット記録装置において、
前記記録ヘッドはシリアル型の記録ヘッドであることを特徴とするインクジェット記録装置。
【発明の詳細な説明】
【技術分野】
【０００１】
本発明は、インクジェット記録装置に係り、特に光を照射することによりインクを硬化させて記録媒体上に画像を形成するインクジェット記録装置に関する。
【背景技術】
【０００２】
近年、グラビア印刷方式やフレキソ印刷方式などの製版を必要とする方式に比較して、簡便にかつ安価に画像を形成することができるという理由から、インクジェット記録装置が多く用いられるようになっている。
【０００３】
インクジェット記録装置を用いて商品や商品の包装に画像記録を行う分野では、商品や商品の包装に、樹脂や金属などのインク吸収性のない材料を用いることが多い。そして、このようなインク吸収性のない材料を記録媒体として用いるときには、この記録媒体上にインクを定着させるために、例えば紫外線等の光を照射することによって硬化する光硬化型インクを吐出するノズルが設けられた記録ヘッドと、インクを硬化させる光を発生させる光照射装置が設けられた光照射装置とを有し、ノズルから吐出したインクを記録媒体上に着弾させた後、光照射装置により光を照射することでインクを硬化させて記録媒体上に定着させ、画像を形成するインクジェット記録装置が知られている。
【０００４】
光照射装置を用いてインクを硬化させるインクジェット記録装置において、記録ヘッドから吐出されてプラテン上に着弾したインクは、光を照射されて硬化してプラテン上に定着するので、プラテンの平面性は保持されず、よって記録媒体の搬送不良が発生したり、記録媒体上に形成される画像記録に劣化が生じたりすることが知られている。記録ヘッドからプラテン上に光硬化性インクが吐出する原因としては、記録媒体の斜行や詰りなどによる搬送不良によってプラテンが露出されたときにインクが吐出されることや、また、プラテン上に記録媒体が存在しないときに手動によってインクを強制的に吐出することが知られている。
【０００５】
このようなプラテン上に着弾したインクの硬化を防止する技術として、光照射装置の照射範囲内に記録媒体が存在しないときには光照射装置を消灯し、プラテン上に付着したインクに光を照射しないことによりインクの硬化を防ぐ技術が開示されている（例えば特許文献１参照）。
【特許文献１】特開２００４−１５５０９３号公報
【発明の開示】
【発明が解決しようとする課題】
【０００６】
しかし、光照射装置の照射範囲内に記録媒体が存在しないときに光照射装置を消灯すると、プラテン上に吐出されたインクは光が照射されないため、プラテン上にインクが硬化することを防止することができるが、光照射装置は一度消灯すると再度点灯するまでに時間を要するので、光照射装置が点灯するまでの間は画像記録を形成することができず、インクジェット記録装置の生産性が低下する問題があった。
【０００７】
本発明の課題は、プラテン上に吐出されたインクが硬化することを防止し、プラテンの平面性が保持されないことによって発生する搬送不良や画像劣化を抑制することができるインクジェット記録装置を提供することである。
【課題を解決するための手段】
【０００８】
請求項１に記載の発明は、光を照射することにより硬化するインクを記録媒体上に吐出する記録ヘッドと、前記インクを硬化させる光を照射する光照射装置と、前記記録媒体を非記録面から支持するプラテンとを備えるインクジェット記録装置において、前記プラテン上における記録媒体の有無を検出する記録媒体検出装置と、前記記録ヘッドが記録媒体上の印字可能領域内に位置するか算出して、前記光照射装置が点灯していないときは画像データに基づいて前記インクを吐出させるとともに、前記光照射装置が点灯しているときは、前記プラテン上に記録媒体が存在し、前記記録ヘッドが記録媒体上の印字可能領域内に位置するとき以外は前記インクを吐出させないように、前記記録ヘッドを制御する制御部とを備えていることを特徴とする。
【０００９】
請求項１に記載の発明では、記録媒体検出装置によってプラテン上における記録媒体の有無を検出することができ、インクを硬化させる光を照射する光照射装置が点灯していないときはインクを吐出させ、光照射装置が点灯しているときは、プラテン上に記録媒体が存在して、インクを吐出する記録ヘッドが記録媒体上の印字可能領域に位置するとき以外はインクを吐出させないように、記録ヘッドが制御部によって制御される。これにより、光照射装置が点灯していないときプラテン上に吐出されたインクは硬化しないため拭き取ることができ、また、光照射装置が点灯しているときは記録ヘッドからプラテン上にインクが吐出されて硬化することを抑制できる。
【００１０】
請求項２に記載の発明は、請求項１に記載のインクジェット記録装置において、前記記録媒体検出装置は前記記録ヘッドの近傍に配置されることを特徴とする。
【００１１】
請求項２に記載の発明では、記録媒体検出装置は記録ヘッドの近傍に配置されるため、記録ヘッドからインクが吐出される位置に記録媒体が存在するか否かを高精度で検出することが可能となる。
【００１２】
請求項３に記載の発明は、請求項２に記載のインクジェット記録装置において、前記記録媒体検出装置は前記記録ヘッドのノズル列方向の両端に配置され、前記制御部は前記光照射装置が点灯しているときに少なくとも片方の前記記録媒体検出装置が前記記録媒体の存在を検出しないときは前記インクを吐出させないように制御することを特徴とする。
【００１３】
請求項３に記載の発明では、記録媒体検出装置が記録ヘッドのノズル列方向の両端に配置されるため、光照射装置が点灯しているときに少なくとも片方の記録媒体検出装置によって記録媒体の存在が検出されないときには、記録ヘッドからインクが吐出されないよう制御することが可能となる。
【００１４】
請求項４に記載の発明は、請求項１または請求項２のいずれか一項に記載のインクジェット記録装置において、前記記録ヘッドはライン型の記録ヘッドであることを特徴とする。
【００１５】
請求項４に記載の発明では、記録ヘッドがライン型のヘッドである場合においても、光照射装置が点灯しないときには記録ヘッドからプラテン上に吐出されるインクが硬化することを防止することと、光照射装置が点灯しているときに記録ヘッドからプラテン上にインクが吐出されることを防止することができる。
【００１６】
請求項５に記載の発明は、請求項１から請求項３のいずれか一項に記載のインクジェット記録装置において、前記記録ヘッドはシリアル型の記録ヘッドであることを特徴とする。
【００１７】
請求項５に記載の発明では、記録ヘッドがシリアル型のヘッドである場合においても、光照射装置が点灯しないときには記録ヘッドからプラテン上に吐出されるインクが硬化することを防止することと、光照射装置が点灯しているときに記録ヘッドからプラテン上にインクが吐出されることを防止することができる。
【発明の効果】
【００１８】
請求項１に記載の発明によれば、光照射装置が点灯していないときはプラテン上に吐出されるインクが硬化しないため、吐出されるインクを拭き取ることができる。また、光照射装置が点灯しているときは、プラテン上に記録媒体が存在して、記録ヘッドが記録媒体上の印字可能領域内に位置するとき以外はインクが吐出されないため、プラテン上にインクが吐出されて硬化することを確実に防止することができる。よって、プラテン上でインクが硬化することを防止でき、プラテン上に硬化するインクによってプラテンの平面性が保持できないために生じる搬送不良や画像劣化を防止することができる。
【００１９】
請求項２に記載の発明によれば、記録媒体検出装置を記録ヘッドの近傍に配置し、記録ヘッドからインクが吐出される位置に記録媒体が存在するか否かを検出する精度を高め、光照射装置が点灯しているときにプラテン上にインクが吐出されて硬化することを高精度に抑制することができるので、プラテン上に硬化するインクによりプラテンの平面性が保持できないために生じる搬送不良や画像劣化を高精度に防止することができる。
【００２０】
請求項３に記載の発明によれば、記録媒体検出装置を記録ヘッドのノズル列方向の両端に配置して、光照射装置が点灯しているときに少なくとも片方の記録媒体検出装置によって記録媒体の存在が検出されないときには記録ヘッドを制御してインクが吐出されて硬化することを抑制することができるので、プラテン上で硬化するインクによりプラテンの平面性が保持できないために生じる搬送不良や画像劣化をより高精度に防止することができる。
【００２１】
請求項４に記載の発明によれば、記録ヘッドがライン型のヘッドである場合においても、プラテン上にインクが硬化することを抑制することができるので、プラテン上で硬化するインクによりプラテンの平面性が保持できないために生じる搬送不良や画像劣化を防止することができる。
【００２２】
請求項５に記載の発明によれば、記録ヘッドがシリアル型のヘッドである場合においても、プラテン上にインクが硬化することを抑制することができるので、プラテン上で硬化するインクによりプラテンの平面性が保持できないために生じる搬送不良や画像劣化を防止することができる。
【発明を実施するための最良の形態】
【００２３】
以下、図を参照しながら本発明に係るインクジェット記録装置の実施形態について説明する。ただし、発明の範囲は図示例に限定されない。
【００２４】
始めに、図１〜図３を参照しながら本発明にかかるインクジェット記録装置の構成について説明する。
【００２５】
図１に示すように、インクジェット記録装置１には、棒状のガイドレール２が設けられている。ガイドレール２にはキャリッジ３が支持されており、キャリッジ３はキャリッジ駆動装置１７（図４参照）によって駆動され、ガイドレール２に沿って長手方向である主走査方向Ａに往復移動自在とされている。なお、記録媒体１３の記録面上で主走査方向Ａと直行する方向を、副走査方向Ｂ（図２参照）とする。
【００２６】
キャリッジ３には、画像データに基づいてイエロー（Y）、マゼンタ（M）、シアン（Ｃ）、ブラック（Ｋ）の各プロセスカラーのインクを記録媒体１３の記録面に向けてそれぞれ吐出する４つの記録ヘッド４が搭載されている。本実施形態における記録ヘッド４はキャリッジ３に伴って往復移動するシリアル型の記録ヘッドとされている。記録ヘッド４には記録媒体１３の記録面と対向するノズル面５があり、ノズル面５には複数のノズル６が副走査方向Ｂに沿って配列されている。
【００２７】
さらにキャリッジ３の主走査方向Ａにおける両端部には、光照射源の点灯により記録媒体１３の記録面に向けて紫外線を照射して記録媒体１３の記録面に着弾したインクを硬化させて定着させる２つの光照射装置１１が配設されている。光照射装置としては、低圧水銀ランプ、高圧水銀ランプ、メタルハライドランプ、エキシマーランプ、熱陰極管、冷陰極管、紫外線レーザー、ＬＥＤ（Light Emitting Diode）等が適用される。
【００２８】
キャリッジ３の直下に位置する記録媒体１３は平板状のプラテン１２により非記録面から支持されており、記録媒体搬送装置１８（図４参照）によって搬送されるようになっている。記録媒体１３はキャリッジ３の移動可能範囲内に位置しており、記録媒体１３の記録面上において画像を形成する領域である印字可能領域はあらかじめ制御部１４（図４参照）に設定されている。
【００２９】
図２に示すように、記録ヘッド４の副走査方向Bに沿った両端部には、プラテン上における記録媒体の有無を検出する記録媒体検出装置８が配設されている。図３に示すように、記録媒体検出装置８は、ノズル６より記録媒体１３上にインクが吐出される箇所から副走査方向Ｂに沿った延長線上に向けて光を照射する発光器９と、発光器９からの反射光を受光する受光器１０とから構成されており、制御部１４において受光した反射光を基に反射率を検出し、検出した反射率と予め求めておいたプラテン１２や記録媒体１３の反射率とを比較することによってプラテン１２上における記録媒体１３の有無を検出できるようになっている。
【００３０】
なお、本実施形態では、記録媒体検出装置８が発光器９と受光器１０とを別体に構成した場合の例を示すが、これに限らず、発光器９と受光器１０とが一体に構成されている記録媒体検出装置８を用いるようにしても良い。
【００３１】
また、本実施形態では、ガイドレール２の面上には図示しないリニアスケールが固定されており、キャリッジ３の一端には光センサによりリニアスケールの位置をカウントする図示しない読取部が配設されている。キャリッジ３の動きにしたがって、読取部が光センサによりリニアスケールの位置をカウントすることにより、ガイドレール２に支持されるキャリッジ３の位置が検出されるようになっている。
【００３２】
次に、図４から図６を参照しながらインクジェット記録装置１の制御構成について説明する。
【００３３】
図４に示すように、入力される画像データに基づいてインクジェット記録装置１の各部の動作を制御する制御部１４には、記録ヘッド４を駆動制御する記録ヘッド駆動部７と、記録媒体検出装置８と、光照射装置１１と、キャリッジ３を駆動制御するキャリッジ駆動装置１７と、記録媒体搬送装置１８とがそれぞれ接続されている。制御部１４は、画像データと記録媒体検出装置８により受光される反射光とが入力されるようになっており、画像データに基づいて記録ヘッド駆動部７と光照射装置１１とキャリッジ駆動装置１７と記録媒体搬送装置１８とをそれぞれ駆動制御するようになっている。
【００３４】
図５に示すように、ノズル６が配列される記録ヘッド４を駆動制御する記録ヘッド駆動部７は、ゲート１５と、ノズル６から記録媒体１３上へのインクの吐出を制御する記録ヘッド駆動回路１６とを備えて構成されている。ゲート１５ａ〜１５ｎと記録ヘッド駆動回路１６ａ〜１６ｎとは、複数のノズル６ａ〜６ｎそれぞれに１対１で対応して設けられている。
【００３５】
ゲート１５は、制御部１４より駆動信号と光照射検出信号と記録媒体検出信号と記録ヘッド検出信号とが入力されて、演算結果を記録ヘッド駆動回路１６に出力するようになっている。駆動信号は、制御部１４において画像データを変換した信号であり、画像データが存在するときはHigh信号が出力されるようになっている。光照射検出信号は、制御部１４において光照射装置１１が点灯しているか否かを検出する信号であり、光照射装置１１が点灯しているときは制御部１４からHigh信号が出力されるようになっている。記録媒体検出信号は、制御部１４においてプラテン１２上における記録媒体１３の存在の有無を検出する信号であり、記録媒体１３の存在が検出されるときは制御部１４からHigh信号が出力されるようになっている。記録ヘッド検出信号は、制御部１４においてキャリッジ３が印刷可能領域に位置しているか否かを検出する信号であり、キャリッジ３が印刷可能領域に位置しているときは制御部１４からHigh信号が出力されるようになっている。
【００３６】
図６に示すように、ゲート１５は、光照射検出信号と記録媒体検出信号と記録ヘッド検出信号とが入力されるＡＮＤゲート１９と、入力される光照射検出信号を反転して出力するＮＯＴゲート２０と、ＮＯＴゲート２０の出力とＡＮＤゲート１９の演算結果とが入力されるＯＲゲート２１と、駆動信号とＯＲゲート２１の演算結果とが入力されるＡＮＤゲート２２とを備えて構成されており、ＡＮＤゲート２２の演算結果が記録ヘッド駆動回路１６に出力されるようになっている。ＡＮＤゲート２２にHigh信号の駆動信号が入力されると、制御部１４によって光照射装置１１が点灯しているか否かが検出され、Low信号の光照射検出信号がＮＯＴゲート２０に入力されるとＯＲゲート２１からHigh信号が出力され、ＡＮＤゲート２２から記録ヘッド駆動回路１６にHigh信号が出力され、ノズル６が駆動されてインクが吐出されるようになっている。ＡＮＤゲート２２に駆動信号が入力されて、制御部１４によって光照射装置１１が点灯されるか否かが検出されて、High信号の光照射検出信号がＡＮＤゲート１９入力されると、制御部１４によって記録媒体１３の存在の有無が検出され、High信号の記録媒体検出信号がＡＮＤゲート１９に入力されると、制御部１４によってキャリッジ３が印字可能領域内にあるか否かが検出され、High信号の記録ヘッド検出信号がＡＮＤゲート１９に入力されると、ＡＮＤゲート１９からＯＲゲート２１にHigh信号が出力されるようになっている。ＡＮＤゲート１９からＯＲゲート２１にHigh信号が入力されると、ＡＮＤゲート２２から記録ヘッド駆動回路１６にHigh信号が出力され、ノズル６が駆動されてインクが吐出されるようになっている。
【００３７】
次に、本実施形態におけるインクジェット記録装置１の作用について説明する。
【００３８】
図７に、画像データが入力されたときのゲート１５のフローチャートを示す。
図７に示すように、ゲート１５に画像データに基づく駆動信号が入力されると、ＡＮＤゲート２２にHigh信号が入力されて、制御部１４によって光照射装置１１が点灯しているか否かが検出される（ステップＳ１）。光照射装置１１が点灯しているか否か検出された結果、光照射装置１１が点灯していないときは光照射信号がLow信号となり（ステップＳ１：Ｎｏ）、ＮＯＴゲート２０にLow信号の光照射信号が入力されて反転するHigh信号がＯＲゲート２１に入力されるため、ＡＮＤゲート２２はHigh信号を記録ヘッド駆動回路１６に出力して記録ヘッド駆動回路１６を駆動し、記録ヘッド４に配列されるノズル６からインクを吐出させる（ステップＳ５）。
【００３９】
光照射装置１１が点灯しているか否か検出された結果、光照射装置１１が点灯しているときは光照射信号がHigh信号となり（ステップＳ１：Ｙｅｓ）、ＮＯＴゲートに入力されるHigh信号の光照射信号は反転してLow信号をＯＲゲート２１に出力する。ＡＮＤゲート１９にHigh信号の光照射信号が入力されると、制御部１４によりプラテン１２上における記録媒体１３の存在の有無が検出される（ステップＳ２）。
【００４０】
プラテン１２上における記録媒体１３の存在の有無は、図３に示すように、ノズル６からインクを吐出する先から副走査方向Ｂに沿った延長上でかつ発光器９と受光器１０との間の地点に向けて発光器９が光を照射し、受光器１０がその反射光を受光し、制御部１４において反射光から反射率を検出し、検出する反射率と予め登録されるプラテン１２や記録媒体１３の反射率とを比較することによって検出される。
【００４１】
プラテン１２上に記録媒体１３が存在しないときは記録媒体検出信号がLow信号となり（ステップＳ２：Ｎｏ）、ＡＮＤゲート１９にLow信号の記録媒体検出信号が入力されるとＯＲゲート２１にLow信号が出力され、ＯＲゲート２１からＡＮＤゲート２２にLow信号が出力され、記録ヘッド駆動回路１６が駆動しないため、ノズル６からインクが吐出されない（ステップＳ４）。
【００４２】
プラテン１２上に記録媒体１３が存在するときは、記録媒体検出信号がHigh信号となり（ステップＳ２：Ｙｅｓ）、ＡＮＤゲート１９にHigh信号の記録媒体検出信号が入力され、制御部１４によりキャリッジ３の駆動方向と駆動距離が算出されて、記録ヘッド４がプラテン１２上の印字可能領域に位置しているか否か検出される（ステップＳ３）。
【００４３】
記録ヘッド４がプラテン１２上の印字可能領域に位置しないときは記録ヘッド検出信号がLow信号となり（ステップＳ３：Ｎｏ）、ＡＮＤゲート１９にLow信号の記録ヘッド検出信号が入力されるとＯＲゲート２１にLow信号が出力され、ＯＲゲート２１からＡＮＤゲート２２にLow信号が出力され、記録ヘッド駆動回路１６が駆動しないため、ノズル６からインクが吐出されない（ステップＳ４）。
【００４４】
記録ヘッド４がプラテン１２上の印字可能領域に位置するときは記録ヘッド検出信号がHigh信号となり（ステップＳ３：Ｙｅｓ）、ＡＮＤゲート１９にHigh信号の記録ヘッド検出信号が入力されてＯＲゲート２１にHigh信号が出力されるため、ＡＮＤゲート２２から記録ヘッド駆動回路１６にHigh信号が出力されて記録ヘッド駆動回路１６を駆動し、記録ヘッド４に配列されるノズル６からインクが吐出される（ステップＳ５）。
【００４５】
インクが吐出されるときは、記録媒体搬送装置１８により搬送される記録媒体１３が非記録面をプラテン１２によって支持される状態で静止し、記録媒体１３の記録面上には記録ヘッド駆動部７に駆動制御されるノズル６から画像データに基づくインクが吐出される。インクの吐出に伴い、ノズル６が配置されている記録ヘッド４とインクを硬化する光を照射する光照射装置１１とを搭載するキャリッジ３がキャリッジ駆動装置１７によって駆動されてガイドレール２に沿った往復運動をし、キャリッジ３の往復運動に連動して、記録媒体搬送装置１８に駆動制御されて記録媒体１３が副走査方向Bに搬送される。キャリッジ３はガイドレール２に支持された状態で記録媒体１３の記録面の直上を主走査方向Ａに沿って往復運動し、光照射装置１１が紫外線を照射して記録媒体１３の記録面上に着弾したインクを硬化して、インクを記録面上に定着させる。
以上を繰り返して、記録媒体１３の記録面上に画像が形成される。
【００４６】
以上より、本実施形態によれば、光照射装置１１が点灯していないときに、ノズル６からインクが吐出されて、プラテン上にインクが着弾しても拭き取ることができ、プラテン１２の平面性が保持できる。また、インクの吐出先であるプラテン１２上における記録媒体の有無を検出することができるので、光照射装置１１が点灯しているときに、プラテン１２上に記録媒体１３が存在していて、記録ヘッド４が印字可能領域に位置するときに、ノズル６からインクが吐出されるので、インクがプラテン１２上に着弾して硬化することが防止されてプラテン１２の平面性が保持できる。よってプラテン１２の平面性が保持できないことにより発生する搬送不良や画像劣化を防止することができる。
【００４７】
なお、本実施形態においては、記録媒体１３の存在の有無を検出して、記録ヘッド４が印字可能領域に位置するか否か算出した後、光照射装置１１が点灯しているか否か検出したが、記録媒体１３の存在の有無を検出する前に光照射装置１１が点灯しているか否かを検出しても良い。
【００４８】
また、本実施形態においては、インクジェット記録装置１の記録ヘッド４がシリアル型の記録ヘッドの例を示したが、ノズル面よりも主走査方向Ａの上流側（記録媒体が移動する方向の上流側）に発光器９と受光器１０が配設することによってライン型の記録ヘッドにも適用可能である。また、ライン型の記録ヘッドもシリアル型の記録ヘッドと同様に、記録媒体検出装置８が発光器９と受光器１０とを別体に構成するものに限らず、発光器９と受光器１０とが一体に構成されている記録媒体検出装置８を用いるようにしても良い。
【００４９】
ここでシリアル型の記録ヘッドとは、副走査方向Ｂへの搬送が停止された記録媒体１３に対して走査方向Ａに往復移動させる記録ヘッドのことであり、記録ヘッドを往復移動させながらインクを吐出して画像記録を形成するものである。またライン型の記録ヘッドとは、記録媒体の幅方向（記録媒体の搬送方向と直交する方向）にわたる記録ヘッドのことであり、記録媒体を搬送させながら記録ヘッドからインクを吐出して画像記録を形成するものである。
【図面の簡単な説明】
【００５０】
【図１】インクジェット記録装置の概略構成を示す概略断面図である。
【図２】記録ヘッドの概略構成を示す概略図である。
【図３】記録ヘッド部分の底面図である。
【図４】インクジェット記録装置の概略的な制御構成を示すブロック図である。
【図５】ノズル駆動部の構成を示す回路図である。
【図６】ノズル駆動部のゲートの構成を示す回路図である。
【図７】画像データが入力されたときのゲートの動作を示すフローチャートである。
【符号の説明】
【００５１】
１     インクジェット記録装置
４     記録ヘッド
８     記録媒体検出装置
１１   光照射装置
１２   プラテン
１３   記録媒体
１４   制御部
【図１】
2006088377.tif 000003
【図２】
2006088377.tif 000004
【図３】
2006088377.tif 000005
【図４】
2006088377.tif 000006
【図５】
2006088377.tif 000007
【図６】
2006088377.tif 000008
【図７】
2006088377.tif 000009